(57)【要約】【課題】  肩への負担軽減を可能とする。【解決手段】  一対の帯３，５のショルダー部７，９側の一端１３，１５に留め具２１，２３を取り付け、一対の帯３，５の一端１３，１５側をクロスさせ且つ結合させて背当て部１１を設け、帯３，５の中間部をクロスさせて他端１７，１９側を留め具２１，２３に位置調整可能に各別に留め止め可能とし、帯３，５は、一端１３，１５側から同他端１７，１９側へ漸次幅広となるように形成され、留め具２１，２３は、複数のリング２７であり、両肩に掛けて使用することができ、長時間使用に適し、乳幼児を一対の帯３，５で包み込むように抱きかかえることができ、抱きかかえ姿勢の自由度もあることを特徴とする。【選択図】  図１
2006320521.tif 000002
【特許請求の範囲】
【請求項１】
一対の帯のショルダー部側の一端に留め具を取り付け、
前記一対の帯の一端側をクロスさせ且つ結合させて背当て部を設け、
前記帯の中間部をクロスさせて他端側を前記留め具に位置調整可能に各別に留め止め可能とした
ことを特徴とするスリング子守帯。
【請求項２】
請求項１記載のスリング子守帯であって、
前記帯は、前記一端側から同他端側へ漸次幅広となるように形成された
ことを特徴とするスリング子守帯。
【請求項３】
請求項１又は２記載のスリング子守帯であって、
前記留め具は、複数のリングである
ことを特徴とするスリング子守帯。
【発明の詳細な説明】
【技術分野】
【０００１】
この発明は、乳幼児を抱くのに用いられるスリング子守帯に関する。
【背景技術】
【０００２】
従来、乳幼児を抱くために用いる子守帯としては、図４，図５に示すようなものがある。図４の子守帯１０１は、いわゆるスリング式であり、一枚の幅広の帯１０３とドット・ボタン１０５とからなっている。
【０００３】
かかる子守帯１０１は、ドット・ボタン１０５を結合してループ状とすることで、いわゆる、たすき掛けで片方の肩に掛けて使用し、乳幼児を幅広の帯１０３で包むように抱きかかえることができる。このため、抱きかかえられた乳幼児の母親とのスキンシップも比較的阻害されず、乳幼児の成長に好影響を与えることで知られている。
【０００４】
しかし、従来の子守帯１０１は、片方の肩にのみ負担をかけるため、長時間の使用には難点があり、乳幼児の抱きかかえ姿勢も一義的であった。
【０００５】
これに対し、図５に示す子守帯１０７は、ベルト・タイプのものであり、双方の肩に掛けて使用することができ、比較的長時間の使用にも都合が良く、乳幼児の抱きかかえ姿勢にも変化を付けることができる。
【０００６】
しかし、ベルト・タイプのものは、構造が複雑であり、使い方が煩雑であると共に、重さもあって肩への負担軽減の面からは難点があった。
【０００７】
【特許文献１】特開２００５−５２５８４号公報
【特許文献２】特開２００４−２３６７３６号公報
【発明の開示】
【発明が解決しようとする課題】
【０００８】
解決しようとする問題点は、肩への負担軽減の面からは難点があった点である。
【課題を解決するための手段】
【０００９】
本発明は、肩への負担軽減を可能とするため、一対の帯のショルダー部側の一端に留め具を取り付け、一対の帯の一端側をクロスさせ且つ結合させて背当て部を設け、帯の中間部をクロスさせて他端側を前記留め具に位置調整可能に各別に留め止め可能としたことを最も主要な特徴とする。
【発明の効果】
【００１０】
本発明のスリング子守帯は、一対の帯のショルダー部側の一端に留め具を取り付け、一対の帯の一端側をクロスさせ且つ結合させて背当て部を設け、帯の中間部をクロスさせて他端側を前記留め具に位置調整可能に各別に留め止め可能としたため、スリング子守帯でありながら、双肩に掛けて使用することができ、長時間の使用に適している。また、乳幼児を一対の帯で包み込むように抱きかかえることができ、抱きかかえ姿勢の自由度もある。
【発明を実施するための最良の形態】
【００１１】
肩への負担軽減を図るという目的を、一対の帯を結合することで実現した。
【実施例１】
【００１２】
図１〜図３は、本発明の実施例１に係り、図１は、スリング子守帯の展開状態の正面図、図２は、使用状態図、図３は、留め止めを示す拡大図である。
【００１３】
図１のように、スリング子守帯１は、一対の帯３，５により形成され、ショルダー部７，９、パッド材を内包した背当て部１１を備えている。
【００１４】
前記各帯３，５は、例えば布製であり、断面が袋状を成すように縫製され、外形は、一端１３，１５側から同他端１７，１９側へ漸次幅広となるように形成されている。なお、帯３，５は、乳幼児を抱きかかえ可能であれば漸次幅広でなくても良く、その形状の設定は自由である。
【００１５】
前記一対の帯３，５のショルダー部７，９側の一端１３，１５には、留め具２１，２３が取り付けられている。留め具２１，２３は、金属、或いは樹脂などによるそれぞれ複数のリング２７で構成されている。なお、本実施例においては、一対のリング２７により留め具２１，２３を構成している。ただし、留め具２１，２３は、３つ以上のリング２７によって構成することも可能である。前記帯３，５と留め具２１，２３との結合は、帯３，５の端部２９，３１を折返して縫製することにより行われている。ショルダー部７，９には、パッド材が内包されている。
【００１６】
前記背当て部１１は、前記一対の帯３，５の一端１３，１５側をクロスさせ且つ縫製などにより結合させて形成されている。なお、背当て部１１には、パッド等を内包させたり、取り付けたりすることも可能である。
【００１７】
前記スリング子守帯１は、図２のように使用者である母親が身につけて使用する。すなわち、背当て部１１を背中に当てるようにしてショルダー部７，９を両肩に掛け、留め具２１，２３を鎖骨側に垂らす。
【００１８】
そして、帯３，５の一方、例えば帯３に乳幼児を抱きかかえるようにして包み、他端１１７側を図３のように留め具２１に通して留め止める。この留め止めは、他端１７を前面側のリング２７に前方側（矢印Ａ側）から通し、次いで両リング２７間から下方へ引き出し、さらに後面側のリング２７に後方側（矢印Ｂ側）から通して前面側のリング２７を通過させ、前方側へ引き出す。この状態では、他端１１７の側引き出し量を増減させて留め具２１に対する位置調整を行うことによって、乳幼児の抱きかかえ位置を上下等に変更可能となっている。
【００１９】
次いで、他方の帯５の他端１９側も同様にして留め具２３に留め止める。このとき、乳幼児は既に帯３で抱えられているため、他方の帯５の留め止め作業を両手で行うなどその作業を簡単に行わせることができる。
【００２０】
なお、図２，図３の状態では、留め止めした帯３，５の他端１７，１９を、前に垂らしているので、リング２７の一部が横に露出している。勿論このままでも使用することはできるが、他端１７，１９を留め具２１，２３に横方向方向に巻き付けることで留め具２１，２３を帯３，５の他端１７，１９で完全に覆い隠して使用することもできる。
【００２１】
こうして、一対の帯３，５により乳幼児を母親の前側で包み込むように抱きかかえることができる。
【００２２】
授乳が必要なときは、例えば片方の帯５を外すことで母親の片方の胸を開くことも可能であり、授乳にも好都合である。このとき、帯３の他端１１７側を留め具２１に対して位置調整することによって、例えば乳幼児の抱きかかえ位置を上下等に変更することができ、乳幼児の授乳姿勢を無理のないものとすることができると共に、母親の授乳時の負担をも軽減することができる。
【００２３】
しかも、ショルダー部７，９を両肩に掛けることで、肩への負担を軽減し、長時間の使用にも適している。また、ほぼ全体が布製であり、軽量にすることができ、かかる点からも肩への負担を軽減することができる。
【００２４】
さらに、乳幼児の姿勢も、図２のように前方へ向いた状態、或いは横に寝かせる状態など、自由に変えることができる。すなわち、対面抱き、おんぶ、カンガルー抱き、横抱きなどが自由である。
【００２５】
この姿勢の変更は、他端１１７，１１９側を留め具２１，２３に対して位置調整することによって容易に行わせることができる。
【００２６】
かかるスリング子守帯１は、ほぼ全体が布製であるため乳幼児にも優しいものとなる。
【図面の簡単な説明】
【００２７】
【図１】スリング子守帯の展開状態の正面図である（実施例１）。
【図２】使用状態図である（実施例１）。
【図３】留め止めを示す拡大図である（実施例１）。
【図４】スリング子守帯の説明図である（従来例）。
【図５】スリング子守帯の説明図である（従来例）。
【符号の説明】
【００２８】
１  スリング子守帯
３，５  帯
７，９  ショルダー部
１１  背当て部
１３，１５  一端
１７，１９  他端
２１，２３  留め具
２７  リング
【図１】
2006320521.tif 000003
【図２】
2006320521.tif 000004
【図３】
2006320521.tif 000005
【図４】
2006320521.tif 000006
【図５】
2006320521.tif 000007